(57)【要約】【課題】ペットフード分量をペットの体重に応じて自動的に演算し処方箋を作成する。【解決手段】製品選択画面提供手段１１は、ペットの種類毎に缶及び袋状体のペットフード製品を表した製品選択画面をモニタ上に表示させ、該画面上で製品が選択されると、入力画面提供手段１２は、製品の単価を表すとともに、ペットの現在体重を入力する入力欄を設けた入力画面を表示させる。計算手段１３は、入力されたペットの現在体重に依存して、１日に必要なカロリ、選択された製品の１日当たりの食事量、選択された製品の１日当たりの価格を計算し、処方箋作成／提供手段１５は、得られた１日に必要なカロリ、１日当たりの製品の給餌量、及び、１日当たりの製品の価格、並びに、入力されたペットの体重を含んだ処方箋画面をモニタ上に表示させる。【選択図】図１
2006025605.tif 000002
【特許請求の範囲】
【請求項１】
コンピュータ読み取り可能なプログラムによって実行され、ペットに給餌すべきペットフードの電子的な処方箋を作成するシステムにおいて、
ペットの種類毎に、缶及び袋状体のペットフード製品を表した製品選択画面をモニタ上に表示させる製品選択画面提供手段と、
製品選択画面上で１つのペットフード製品が選択されたとき、該ペットフード製品の単価を表すとともに、ペットの現在体重を入力する入力欄を設けた入力画面を表示させる入力画面提供手段と、
入力画面に入力されたペットの現在体重に依存して、１日に必要なカロリ、選択されたペットフード製品の１日当たりの食事量、選択されたペットフード製品の１日当たりの価格を計算する計算手段と、
計算手段により得られた１日に必要なカロリ、１日当たりの選択されたペットフード製品の食事量、及び、１日当たりの選択されたペットフード製品の価格、並びに、入力されたペットの体重を含んだ処方箋画面をモニタ上に表示させる処方箋提供手段と
からなることを特徴とするペットフード処方箋作成システム。
【請求項２】
請求項１記載のペットフード処方箋作成システムにおいて、製品選択画面上で選択されたペットフード製品が缶製品である場合、計算手段は、１日当たりの食事量を缶の個数単位で計算することを特徴とするペットフード処方箋作成システム。
【請求項３】
請求項１記載のペットフード処方箋作成システムにおいて、製品選択画面上で選択されたペットフード製品が袋に包装されたドライ製品である場合、
計算手段は、１日当たりの食事量をｇ又はカップ数単位で計算し、さらに、ドライ製品の包装サイズが複数ある場合に、１ヶ月で食べきることができる包装サイズを決定し、この決定された包装サイズに基づいて１日当たりの価格を計算するよう構成されており、
処方箋提供手段は、計算手段により決定された、１ヶ月で食べきることができる包装サイズに関する情報も処方箋画面上に表示するよう構成されている
ことを特徴とするペットフード処方箋作成システム。
【請求項４】
請求項１記載のペットフード処方箋作成システムにおいて、製品選択画面上で選択されたペットフード製品がダイエット用缶製品である場合、
入力画面提供手段は、入力画面上に、ペットの現在体重の入力欄に加えてＢＣＳ（体型）を入力する入力欄を提供するよう構成されており、
計算手段は、入力された現在体重及びＢＣＳに基づいて目標体重を計算し、該目標体重に達するまでの日数を計算し、１日当たりのカロリを目標体重まで減量するための１日当たりのカロリとして計算し、１日当たりの食事量を目標体重まで減量するための１日当たりの缶の個数単位で計算するよう構成されており、
処方箋提供手段は、計算手段により計算された目標体重及び到達日数も処方箋画面上に表示するよう構成されている
ことを特徴とするペットフード処方箋作成システム。
【請求項５】
請求項１記載のペットフード処方箋作成システムにおいて、製品選択画面上で選択されたペットフード製品が包装されたダイエット用ドライ製品である場合、
入力画面提供手段は、入力画面上に、ペットの現在体重の入力欄に加えてＢＣＳ（体型）を入力する入力欄を提供するよう構成されており、
計算手段は、入力された現在体重及びＢＣＳに基づいて目標体重を計算し、該目標体重に達するまでの日数を計算し、１日当たりのカロリを目標体重まで減量するための１日当たりのカロリとして計算し、１日当たりの食事量を目標体重まで減量するための１日当たりのｇ又はカップ数単位で計算し、さらに、ダイエット用ドライ製品の包装サイズが複数ある場合に、１ヶ月で食べきることができる包装サイズを決定し、この決定された包装サイズに基づいて１日当たりの価格を計算するよう構成されており、
処方箋提供手段は、計算手段により決定された、１ヶ月で食べきることができる包装サイズに関する情報、及び、計算手段により計算された目標体重及び到達日数も処方箋画面上に表示するよう構成されている
ことを特徴とするペットフード処方箋作成システム。
【請求項６】
請求項４又は５記載のペットフード処方箋作成システムにおいて、
該システムはさらに、製品選択画面上で選択されたペットフード製品がダイエット用製品である場合、現在体重から目標体重までの体重の減量予定推移を表すグラフを作成する手段を備え、
処方箋提供手段は、処方箋画面上に、作成された減量予定推移のグラフも表示させるよう構成されている
ことを特徴とするペットフード処方箋作成システム。
【発明の詳細な説明】
【技術分野】
【０００１】
本発明は、ペットフード処方箋作成システムに関し、より詳細には、ペットに必要なペットフードの種類及びその分量等をペットの体重等に応じて自動的に計算し、これに基づいて自動的に処方箋を作成するためのシステムに関する。
【背景技術】
【０００２】
今日、犬、猫等のペットは、現代社会において一番身近で人間を自然に癒してくれるものであり、このようなペットの健康管理の一貫として、ペットフードが給餌されている。ペットフードのパッケージには、標準的な給餌量として、例えば体重５kg区分毎の給餌表が表記され、ペットのオーナーは、表示された標準給餌量を参照して、ペットにペットフードを給餌している。
【発明の開示】
【発明が解決しようとする課題】
【０００３】
上記したように、一般的に、ペットはペットフードに表記された標準給餌量が与えられているため、ペットの種類や体重による個体差に無関係に、ペットフードが給餌されていることが多い。したがって、ペットが過食気味になっていることが多く、動物病院に来院する犬・猫の３〜４頭に１頭は肥満していると言われている。
このような問題は、ダイエット用ペットフードについても言えることであり、ダイエット用ペットフードでありながら、ペットによっては給餌量では多すぎて、過食気味となっていることがある。
また、ペットの健康を維持するため及びペットの肥満を改善するために、ペット医院等において、どの程度の量のペットフードをペットに給餌すべきであるかを、ペットフードのカロリ並びにペットの種類及び体重に合わせて手動計算している。しかしながら、この計算が極めて煩雑であり、健康維持促進用又はダイエット用のペットフードの処方箋を簡単に作成可能なツールの提案が待たれている。
【０００４】
本発明は、このような問題点に鑑みてなされたものであり、その目的は、ペットに給餌すべきペットフードの種類及び分量等の情報をペットの体重等に応じて自動的に演算し、これに基づいてペットフードの処方箋を作成できるようにすることであり、これにより、ペット病院等において、ペットに対するペットフードの処方箋の作成を適切かつ容易にすることである。
【課題を解決するための手段】
【０００５】
上記した目的を達成するために、本発明は、コンピュータ読み取り可能なプログラムによって実行され、ペットに給餌すべきペットフードの電子的な処方箋を作成するシステムにおいて、
ペットの種類毎に、缶及び袋状体のペットフード製品を表した製品選択画面をモニタ上に表示させる製品選択画面提供手段と、
製品選択画面上で１つのペットフード製品が選択されたとき、該ペットフード製品の単価を表すとともに、ペットの現在体重を入力する入力欄を設けた入力画面を表示させる入力画面提供手段と、
入力画面に入力されたペットの現在体重に依存して、１日に必要なカロリ、選択されたペットフード製品の１日当たりの食事量、選択されたペットフード製品の１日当たりの価格を計算する計算手段と、
計算手段により得られた１日に必要なカロリ、１日当たりの選択されたペットフード製品の食事量、及び、１日当たりの選択されたペットフード製品の価格、並びに、入力されたペットの体重を含んだ処方箋画面をモニタ上に表示させる処方箋提供手段と
からなることを特徴とするペットフード処方箋作成システムを提供する。
【０００６】
上記した本発明に係るペットフード処方箋作成システムにおいて、一実施形態においては、製品選択画面上で選択されたペットフード製品が缶製品である場合、計算手段は、１日当たりの食事量を缶の個数単位で計算するよう構成されている。また、製品選択画面上で選択されたペットフード製品が袋に包装されたドライ製品である場合、計算手段は、１日当たりの食事量をｇ又はカップ数単位で計算し、さらに、ドライ製品の包装サイズが複数ある場合に、１ヶ月で食べきることができる包装サイズを決定し、この決定された包装サイズに基づいて１日当たりの価格を計算するよう構成されており、処方箋提供手段は、計算手段により決定された、１ヶ月で食べきることができる包装サイズに関する情報も処方箋画面上に表示するよう構成されている。
【０００７】
また、上記した本発明に係るペットフード処方箋作成システムにおいて、一実施形態においては、製品選択画面上で選択されたペットフード製品がダイエット用缶製品である場合、入力画面提供手段は、入力画面上に、ペットの現在体重の入力欄に加えてＢＣＳ（体型）を入力する入力欄を提供するよう構成されており、計算手段は、入力された現在体重及びＢＣＳに基づいて目標体重を計算し、該目標体重に達するまでの日数を計算し、１日当たりのカロリを目標体重まで減量するための１日当たりのカロリとして計算し、１日当たりの食事量を目標体重まで減量するための１日当たりの缶の個数単位で計算するよう構成されており、処方箋提供手段は、計算手段により計算された目標体重及び到達日数も処方箋画面上に表示するよう構成されている。また、製品選択画面上で選択されたペットフード製品が包装されたダイエット用ドライ製品である場合、入力画面提供手段は、入力画面上に、ペットの現在体重の入力欄に加えてＢＣＳ（体型）を入力する入力欄を提供するよう構成されており、計算手段は、入力された現在体重及びＢＣＳに基づいて目標体重を計算し、該目標体重に達するまでの日数を計算し、１日当たりのカロリを目標体重まで減量するための１日当たりのカロリとして計算し、１日当たりの食事量を目標体重まで減量するための１日当たりのｇ又はカップ数単位で計算し、さらに、ダイエット用ドライ製品の包装サイズが複数ある場合に、１ヶ月で食べきることができる包装サイズを決定し、この決定された包装サイズに基づいて１日当たりの価格を計算するよう構成されており、処方箋提供手段は、計算手段により決定された、１ヶ月で食べきることができる包装サイズに関する情報、及び、計算手段により計算された目標体重及び到達日数も処方箋画面上に表示するよう構成されている。さらに、一実施形態においては、該システムはさらに、製品選択画面上で選択されたペットフード製品がダイエット用製品である場合、現在体重から目標体重までの体重の減量予定推移を表すグラフを作成する手段を備え、処方箋提供手段は、処方箋画面上に、作成された減量予定推移のグラフも表示させるよう構成されている。
【発明の効果】
【０００８】
本発明は、上記したように構成されているので、ペット毎に適切な種類及び量のペットフードを推奨することができ、もって、ペットの健康維持及び肥満の解消に大いに役立たせることができる。また、ペット病院等において、ペットフードの処方箋を作成することが簡単になり、極めて実用的である。
【発明を実施するための最良の形態】
【０００９】
本発明に係るペットフード処方箋作成システム（以下、「本システム」と称する）は、パソコン等にインストールされたコンピュータプログラムを実行することにより実現されるシステムであり、パソコンに接続されたモニタに入力画面を表示し、該入力画面上にキーボード等の操作によりデータを入力し、該入力されたデータに基づいて演算を行い、その結果を出力画面としてモニタ上に表示させるものである。
図１は、本システムの構成を説明するためのブロック図であり、図１において、１はモニタ、２はキーボード及びマウス等の入力手段、３はプリンタ、４は処方箋に記載すべきペットフード製品の種類、単価、カロリ等の属性データを記憶したメモリである。
また、パソコン等にインストールされるコンピュータプログラムすなわちアプリケーション・ソフト１０を機能的に表すと、以下のような６個の機能手段に大別することができる。
【００１０】
・製品選択画面提供手段１１
ペットの種類毎に、缶及び袋状体のペットフード製品を表した製品選択画面をモニタ上に表示させる。
・入力画面提供手段１２
製品選択画面上で１つのペットフード製品が選択されたときに、該ペットフード製品の単価を表すとともに、ペットの名前及び現在体重を入力する入力欄を設けた入力画面を表示させる。
・計算手段１３
入力画面に入力されたペットの現在体重に依存して、１日に必要なカロリ、選択されたペットフード製品の１日当たりの食事量、選択されたペットフード製品の１日当たりの価格、１ヶ月（ペットフードの油酸化害の防止を補償する期間）の食べきりサイズ、その包装を食べきるのにかかる日数（次回購入日がわかる）、等を計算する。
・グラフ作成手段１４
製品選択画面上で選択されたペットフード製品がダイエット用缶製品である場合に、現在体重から目標体重までの体重の減量予定推移を表すグラフを作成する。
・処方箋作成／提供手段１５
入力画面に入力されたペットの体重及び名前、計算手段１３により得られた１日に必要なカロリ、１日当たりの選択されたペットフード製品の食事量、及び、１日当たりの選択されたペットフード製品の価格等、並びに、グラフ作成手段１４により作成されたグラフを含んだペットフード処方箋をモニタ上に表示させる。
・製品修正手段１６
ペットフード製品の価格等を修正するため画面をモニタ上に表示させ、修正結果をメモリ４の記憶内容に反映させる。
【００１１】
図２及び図３を参照して、本システムをより詳細に説明する。
図２のＡ〜Ｄは、コンピュータプログラムによって実行される、本発明に係る本システムの動作を示すフローチャートであり、また、図３は、本システムによってモニタ上に表示される画面を模式的に表した図である。
図２−Ａに示すように、本システムが起動されると、ステップＳ１において、製品選択画面提供手段１１は、図３−Ａに示すような画面、すなわち、ペットフード製品の全ての写真を含み、製品を画面上で選択できるようにした製品選択画面Ｐ１をモニタ上に表示する。該製品選択画面Ｐ１には、ペットフード製品の価格を修正するための「設定」ボタンが含まれている。製品選択画面Ｐ１上には、製品として存在する缶及び／又はドライ製品の全ての写真が含まれている。当然ながら、缶製品だけしか存在しない場合はその缶製品の写真のみが表示され、ドライ製品しか存在しない場合はそのドライ製品の写真のみが表示されている。製品選択画面Ｐ１上、製品Ａ〜Ｃ及び製品Ｍ〜Ｐは通常のペットフード製品を表し、製品ａ〜ｄ及び製品ｍ〜ｏはダイエット用のペットフード製品を表している。
製品修正手段１６は、ステップＳ２において、該「設定」ボタンが選択されたか否かを判定し、選択された場合には、ステップＳ３において、それぞれのペットフード製品の価格を修正するための画面（不図示）を表示し、ステップＳ４において、その修正結果をメモリ４に保存させる。その後、製品選択画面Ｐ１を再度表示させる。
【００１２】
「設定」ボタンが選択されていない場合、ステップＳ２からステップＳ５に移行して、入力画面提供手段１２は、どのペットフード製品が選択されたかを判定する。例えば、＜犬用＞の製品Ａの缶が選択された場合、ステップＳ５においてそれを判定すると、ステップＳ６に進んで、図３−Ｂに示すような、製品Ａの小缶と大缶の価格（単価）を表した入力画面Ｐ２を表示する。なお、ステップＳ５における判定において、まず選択された製品の種類を判定し、その後缶製品が選択されたかドライ製品が選択されたかを判定するようにしてもよい。ダイエット用の製品についても同様である。
入力画面Ｐ２には、ペットの名前及び現在体重を入力する欄が設けられている。
【００１３】
入力画面Ｐ２上で、少なくとも現在体重（ペット名の入力は、オプション）が入力されて実行キーが選択されると、計算手段１３は、ステップＳ７において、現在体重に応じて、１日に必要なカロリ量、１日の食事量（製品Ａの小缶及び大缶の別）、１日当たりの費用を計算する。得られた計算結果は、ステップＳ８において、処方箋作成／提供手段１５により、図３−Ｂに示すような処方箋画面Ｐ３としてモニタ上に表示される。なお、処方箋画面Ｐ３は、入力画面Ｐ２に、計算結果が追加されたものである。「印刷」アイコンが選択された場合には、処方箋画面Ｐ３の情報がプリンタ３によりプリントアウトされ、ハードコピーのペットフード処方箋が得られる。
【００１４】
一方、ステップＳ５の判定結果が、例えば、＜犬用＞の製品Ａのドライ製品（袋状体）が選択されたことを表している場合、ステップＳ５から図２−Ｂに示すステップＳ９に進み、入力画面提供手段１２は、図３−Ｃに示すような、製品Ａのドライ製品の製品サイズ（例えば、最小製品サイズ）の単価を表した入力画面Ｐ４をモニタ上に表示する。場合によって、全ての製品サイズの単価を表示してもよい。入力画面Ｐ４には、入力画面Ｐ２と同様に、ペット名及び現在体重を入力する欄が設けられており、少なくとも現在体重が入力されて実行キーが選択されると、ステップＳ１０において、計算手段１３は、該現在体重に応じて、１日に必要なカロリ量、一日の食事の量を計算する。
【００１５】
次いで、ステップＳ１１において、１日の食事量に基づいて、製品Ａのドライ製品のサイズ毎に、それぞれの製品サイズの１袋を食べきるのに要する日数を計算し、その結果に基づいて１ヶ月で食べきれる製品サイズを決定する。そして、決定された製品サイズの単価を読み出し、かつ、該単価に対応する１日当たりの費用を計算する。そして、ステップＳ１２に進んで、ステップＳ１０及びＳ１１において得られた計算結果、ペット名及び現在体重を、処方箋作成／提供手段１５が、図３−Ｃに示すような処方箋画面Ｐ５としてモニタ上に表示する。処方箋画面Ｐ５は、入力画面Ｐ４に計算結果を追加して表示したものに相当する。「印刷」アイコンが選択された場合には、処方箋画面Ｐ５の情報が処方箋としてプリントアウトされる。
対比のために、全ての製品サイズの単価及び食べきるのに要する日数を、処方箋画面Ｐ５に表示させてもよい。
【００１６】
次に、ダイエット用ペットフード製品が選択された場合の処理について説明する。
製品選択画面Ｐ１上で、ダイエット用ペットフードの例えば＜犬用＞の製品ａの缶製品が選択された場合、入力画面提供手段１２は、ステップＳ５においてそれを判定すると、図２−ＣのステップＳ１３に進んで、図３−Ｄに示すような、製品ａの缶製品（例えば、小缶及び大缶）の価格（単価）を表した入力画面Ｐ６を表示する。最小サイズの缶のみの価格を入力画面Ｐ６に表示してもよい。入力画面Ｐ６には、さらに、ＢＣＳ５〜３の犬の写真が表示されていると共に、ペットの名前、体重、ＢＣＳを入力する欄が設けられている。入力画面Ｐ６上で、少なくとも体重及びＢＣＳレベルが入力されて実行キーが選択されると、ステップＳ１４において、計算手段１３は、目標体重を計算する。ＢＣＳとは、体型を評価するための５段階の指標であり、ＢＣＳ４が軽度肥満、ＢＣＳ５が重度肥満を表している。
【００１７】
計算手段１３は、さらに、ステップＳ１５において、現在体重及び目標体重に基づいて、減量のために必要な１日のカロリ、１日の食事量（缶製品の個数）、目標体重に達するまでの日数、減量達成予定日、１日当たりの費用を計算する。そして、ステップＳ１６において、ステップＳ１５における計算結果に基づいて、グラフ作成手段１４が、現在体重から目標体重までの減量曲線を表すグラフを生成する。
処方箋作成／提供手段１５は、ステップＳ１７において、ステップＳ１４及び１５における計算結果、及びステップＳ１６で生成されたグラフを、ペット名及び現在体重とともに、図３−Ｄに示すような処方箋画面Ｐ７としてモニタ上に表示する。処方箋画面Ｐ７は、入力画面Ｐ６に、計算結果及びグラフが追加されたものである。「印刷」アイコンが選択された場合には、処方箋画面Ｐ７の情報がプリントアウトされ、ハードコピーの処方箋が得られる。
【００１８】
一方、ステップＳ５において、製品ａのドライ製品が選択されたと判定した場合、ステップＳ５から図２−Ｄに示すステップＳ１８に進み、入力画面提供手段１２は、図３−Ｅに示すような、ＢＣＳ５〜３の写真、及び製品ａのドライ製品（例えば、最小サイズ）の単価を表した入力画面Ｐ８をモニタ上に表示する。場合によって、全てのサイズの単価を表示してもよい。入力画面Ｐ８には、入力画面Ｐ６と同様に、ペット名、現在体重、及びＢＣＳレベルを入力する欄が設けられている。入力画面Ｐ８上で、少なくとも体重及びＢＣＳレベルが入力されて実行キーが選択されると、ステップＳ１９において、計算手段１３は、現在体重及びＢＣＳレベルに基づいて、目標体重を計算する。そして、ステップＳ２０において、減量のために必要な１日のカロリ、１日の食事量、目標体重到達までにかかる日数、減量予定日を計算する。次いで、ステップＳ２１において、製品サイズ毎に、１包装を食べきるのにかかる日数を計算し、それに基づいて、１ヶ月で食べきれる製品サイズを決定し、該決定された製品サイズの価格、１日当たりの費用を計算する。
【００１９】
グラフ作成手段１４は、ステップＳ２０における計算結果に基づいて、現在体重から目標体重までの減量曲線を表すグラフを生成する。
ステップＳ１９〜Ｓ２１における計算結果、及びステップＳ２２で生成されたグラフが、処方箋作成／提供手段１５により、ステップＳ２３において、図３−Ｅに示すような処方箋画面Ｐ９としてモニタ上に表示される。処方箋画面Ｐ９は、入力画面Ｐ８に、計算結果及びグラフが追加されたものである。処方箋画面Ｐ９を表示中、「印刷」アイコンが選択された場合には、処方箋画面Ｐ９の情報が処方箋としてプリントアウトされる。
対比のために、全ての製品サイズの単価及び食べきるのに要する日数を、処方箋画面Ｐ９に表示させてもよい。
【００２０】
上記においては、犬用のペットフードに関する処方箋の作成動作について説明したが、猫用ペットフードについても、同様にして処方箋を作成することができる。また、その他のペットについても、必要ならば同様に構成すればよい。
【図面の簡単な説明】
【００２１】
【図１】本発明に係るペットフード処方箋作成システムの機能を表す概略図である。
【図２−Ａ】図１に示した本発明に係るペットフード処方箋作成システムにおいて実行される処理を表すフローチャートの一部であり、該システムの起動から、犬用の缶製品が選択された場合の処方箋作成までの処理を示すフローチャートである。
【図２−Ｂ】図１に示した本発明に係るペットフード処方箋作成システムにおいて実行される処理を表すフローチャートの一部であり、犬用のドライ製品が選択された場合の処方箋作成までの処理を示すフローチャートである。
【図２−Ｃ】図１に示した本発明に係るペットフード処方箋作成システムにおいて実行される処理を表すフローチャートの一部であり、犬用のダイエット用缶製品が選択された場合の処方箋作成までの処理を示すフローチャートである。
【図２−Ｄ】図１に示した本発明に係るペットフード処方箋作成システムにおいて実行される処理を表すフローチャートの一部であり、犬用のダイエット用ドライ製品が選択された場合の処方箋作成までの処理を示すフローチャートである。
【図３−Ａ】図１に示した本発明に係るペットフード処方箋作成システムにおいてモニタ上に表示される初期画面である製品選択画面を示す模式図である。
【図３−Ｂ】図１に示した本発明に係るペットフード処方箋作成システムにおいてモニタ上に表示される、犬用の缶製品が選択された場合の入力画面及び処方箋画面を示す模式図である。
【図３−Ｃ】図１に示した本発明に係るペットフード処方箋作成システムにおいてモニタ上に表示される、犬用のドライ製品が選択された場合の入力画面及び処方箋画面の模式図である。
【図３−Ｄ】図１に示した本発明に係るペットフード処方箋作成システムにおいてモニタ上に表示される、犬用のダイエット用缶製品が選択された場合の入力画面及び処方箋画面を示す模式図である。
【図３−Ｅ】図１に示した本発明に係るペットフード処方箋作成システムにおいてモニタ上に表示される、犬用のダイエット用ドライ製品が選択された場合の入力画面及び処方箋画面の模式図である。
【図１】
2006025605.tif 000003
【図３−Ａ】
2006025605.tif 000004
【図３−Ｂ】
2006025605.tif 000005
【図３−Ｃ】
2006025605.tif 000006
【図２−Ａ】
2006025605.tif 000007
【図２−Ｂ】
2006025605.tif 000008
【図２−Ｃ】
2006025605.tif 000009
【図２−Ｄ】
2006025605.tif 000010
【図３−Ｄ】
2006025605.tif 000011
【図３−Ｅ】
2006025605.tif 000012